(57)【特許請求の範囲】
【請求項１】
箱形状を有し、上端部に開口を有する本体と、
前記開口の前端部から前記本体の後面の下端部に亘って、前記開口及び前記本体の後面を覆い、前記本体の後面及び下面の少なくとも一方に連結されると共に、前記開口の前端部に係脱可能に連結される蓋部と、を備え、
前記蓋部は、前記本体の下面及び後面の下端部の少なくとも一方に連結されると共に、前記本体の後面の上下方向の範囲のうちの下端部から、下端部と上端部との間の上下方向の所定の位置との間に亘る、連結部材の幅より相対的に大きい上下方向の範囲のみで前記本体の後面に連結される、
ランドセル。
【発明の詳細な説明】
【技術分野】
【０００１】
本開示は、ランドセルに関する。
【背景技術】
【０００２】
従来、日本において、小学生が通学時に学習用具等を収容して背中に背負う形態の鞄（ランドセル）が知られている（例えば、特許文献１参照）。
【先行技術文献】
【特許文献】
【０００３】
【特許文献１】実開昭５８−７７５２０号広報
【発明の概要】
【発明が解決しようとする課題】
【０００４】
しかしながら、ランドセルは、通常、箱形状の本体の上端に開口が設けられ、開口の前端部を支点にして当該開口及び本体の後面の上下に亘る範囲を覆い、本体の下端部に係脱可能なフラップ状の蓋部が取り付けられる。そのため、蓋部の支点から係止部分までの全長が相対的に長くなり、蓋部を開閉するために相対的に大きい空間が必要になる。
【０００５】
そこで、上記課題に鑑み、より小さい空間でランドセルの開閉を行うことが可能な技術を提供することを目的とする。
【課題を解決するための手段】
【０００６】
上記目的を達成するため、本開示の一実施態様では、
箱形状を有し、上端部に開口を有する本体と、
前記開口の前端部から前記本体の後面の下端部に亘って、前記開口及び前記本体の後面を覆い、前記本体の後面及び下面の少なくとも一方に連結されると共に、前記開口の前端部に係脱可能に連結される蓋部と、を備え、
前記蓋部は、前記本体の下面及び後面の下端部の少なくとも一方に連結されると共に、前記本体の後面の上下方向の範囲のうちの下端部から、下端部と上端部との間の上下方向の所定の位置との間に亘る、連結部材の幅より相対的に大きい上下方向の範囲のみで前記本体の後面と連結される、
ランドセルが提供される。
【０００７】
本実施形態によれば、利用者は、蓋部を本体の開口の前端部から取り外した状態で、本体の後面又は下面との取付部を支点として、後向きに移動させてランドセルの開口を開いたり、前向きに移動させてランドセルの開口を閉じたりすることができる。そのため、ランドセルは、蓋部の開閉動作時にその前後方向の移動範囲を相対的に小さくすることができる。よって、ランドセルは、利用者に、より小さい空間でその開閉を行わせることができる。
【発明の効果】
【０００８】
上述の実施形態によれば、より小さい空間でランドセルの開閉を行うことが可能な技術を提供することができる。
【図面の簡単な説明】
【０００９】
【図１】ランドセルの一例を示す斜視図である。
【図２】ランドセルの一例を示す斜視図である。
【図３】ランドセルの一例を示す斜視図である。
【図４】蓋部と本体の上部との取り付け構造の一例を示す図である。
【図５】ランドセルの一例を示す分解図である。
【図６】本体（後面収容部）と蓋部（フラップ）との間の収容部を示す図である。
【図７】本体の後面の構成の一例を示す図である。
【図８】蓋部の裏面の構成の一例を示す図である。
【発明を実施するための形態】
【００１０】
以下、図面を参照して実施形態について説明する。
【００１１】
［ランドセルの構成］
まず、図１〜図８を参照して、本実施形態に係るランドセル１の構成について説明する。
【００１２】
以下、本実施形態では、ランドセル１が利用者（小学生）に背負われた状態でその利用者から見た方向を基準にして説明を行う（図１〜図６の方向指示の矢印参照）。
【００１３】
図１は、本実施形態に係るランドセル１の一例を示す斜視図である。具体的には、図１は、蓋部２０（フラップ２１）が閉じられた状態のランドセル１を右後方斜め上から見た斜視図である。図２は、本実施形態に係るランドセル１の一例を示す斜視図である。具体的には、図２は、蓋部２０（フラップ２１）が閉じられた状態のランドセル１を右前方斜め上から見た斜視図である。図３は、本実施形態に係るランドセル１の一例を示す斜視図である。具体的には、図３は、蓋部２０（フラップ２１）が開けられた状態のランドセル１を右前方斜め上から見た斜視図である。図４は、本実施形態に係るランドセル１の蓋部２０と本体１０の上部との取り付け構造の一例を示す図である。図５は、本実施形態に係るランドセル１の一例を示す分解図である。具体的には、図５は、本実施形態に係るランドセル１の本体１０から蓋部２０を取り外した状態を示す図である。図６は、本実施形態に係るランドセル１の本体１０（後面収容部１４）と蓋部２０（フラップ２１）との間の収容部４０を示す図である。図７は、本実施形態に係るランドセル１の本体１０の後面の構成の一例を示す図である。図８は、本実施形態に係るランドセル１の蓋部２０の裏面の構成の一例を示す図である。
【００１４】
本実施形態に係るランドセル１は、小学生が通学時等に学習用具等（以下、「収容物」）を収容する背負い型の専用鞄である。収容物には、教科書、筆箱、ノート、体操着、水筒等が含まれうる。
【００１５】
図１〜図８に示すように、本実施形態に係るランドセル１は、本体１０と、蓋部２０と、肩ベルト３０とを含む。
【００１６】
本体１０は、平面視、正面視、及び側面視のそれぞれで略矩形形状、即ち、箱形状を有し、各種の収容物を収容する。本体１０は、例えば、その表面がナイロン素材や皮革素材等により構成されてよい。
【００１７】
本体１０は、主要収容部１１と、左ポケット１２と、右ポケット１３と、後面収容部１４と、上端連結部１５と、下端連結部１６と、腰パッド１７と、底鋲１８とを含む。
【００１８】
主要収容部１１は、上下方向の寸法が最も大きく、その次に左右方向の寸法が大きく、前後方向（マチ）の寸法が最も小さい箱形状を有し、上端部に開口１１Ａが設けられる。利用者は、開口１１Ａから主要収容部１１の内部に収容物を入れたり、内部から収容物を取り出したりすることができる。
【００１９】
左ポケット１２及び右ポケット１３は、それぞれ、主要収容部１１の左側面及び右側面の上下方向の中央部から下端部に亘る範囲に設けられ、上端に開口を有する。利用者は、開口から左ポケット１２及び右ポケット１３のそれぞれの内部に収容物を入れたり、内部から収容物を取り出したりすることができる。
【００２０】
後面収容部１４は、主要収容部１１の後面の上端部のやや下方の位置から下端部に亘る範囲において、主要収容部１１の後面から後方に膨らむ態様で設けられ、相対的に小さいマチを有する。後面収容部１４は、上端面に左右方向の両端部間に亘って延びる線ファスナ１４Ｆにより開閉可能な開口を有する。利用者は、線ファスナ１４Ｆを操作し、開口を開くことで、開口から後面収容部１４の内部に収容物を入れたり、内部から収容物を取り出したりすることができる。
【００２１】
上端連結部１５は、本体１０の開口１１Ａの前端部且つ本体１０の利用者の背中に面する前面の上端部に設けられる。上端連結部１５は、蓋部２０の上端連結部２２（連結部材２３）と連結し、本体１０の上端と蓋部２０の一端部とを係脱可能な態様で連結させる。
【００２２】
上端連結部１５は、上端連結部１５Ｌ，１５Ｒを含む。
【００２３】
上端連結部１５Ｌ，１５Ｒは、それぞれ、本体１０の前面の上端部において、左端部及び右端部に設けられ、蓋部２０の上端連結部２２Ｌ，２２Ｒ（連結部材２３Ｌ，２３Ｒ）と連結される。
【００２４】
下端連結部１６は、本体１０の後面において、上下方向の下端部から上端部より下方の所定の位置までの間に亘る範囲に設けられ、蓋部２０の下端連結部２４と係脱可能に連結する。具体的には、下端連結部１６は、上下方向の下端部から所定の位置に亘る範囲で、後面収容部１４の外縁に沿うように、即ち、後方視で略矩形の後面収容部１４の左辺、下辺、及び右辺に沿うように連続的に設けられる。所定の位置は、例えば、本体１０の上下方向の略中央位置に設定される。図７に示すように、下端連結部１６は、後方視で後面収容部１４の左辺、下辺、及び右辺に沿う形の略Ｕ字形状を有し、略Ｕ字形状に沿って、線ファスナのエレメントが並べられる。
【００２５】
腰パッド１７は、主要収容部１１の利用者の背中に面する前面の下端部に設けられる。腰パッド１７は、左右方向の中央より左側及び右側のそれぞれに設けられる腰パッド１７Ｌ，１７Ｒを含む。これにより、利用者の腰に作用するランドセル１からの負荷を和らげることができる。
【００２６】
底鋲１８は、主要収容部１１の下面（底）に複数設けられる。これにより、ランドセルを床等に立てて置いた場合に、主要収容部１１の下面（底）が汚れたり、下面から床等の水分がしみ込んだりするのを抑制することができる。
【００２７】
蓋部２０は、本体１０の開口１１Ａの前端部から本体１０の後面の下端部に亘って、開口１１Ａ及び本体１０の後面を覆う態様で設けられる。
【００２８】
蓋部２０は、フラップ２１と、上端連結部２２と、連結部材２３と、下端連結部２４とを含む。
【００２９】
フラップ２１は、蓋部２０の本体である。フラップ２１は、略矩形形状を有し、その長手方向で主要収容部１１の開口１１Ａ及び後面に沿ってこれらを覆うように設けられる。フラップ２１は、例えば、皮革素材により構成されてよい。
【００３０】
上端連結部２２は、フラップ２１の開口１１Ａの前端部に対応するその長手方向の一端部、即ち、矩形形状の一辺に設けられる。上端連結部２２には、連結部材２３が設けられ、連結部材２３を介して、本体１０の上端連結部１５と連結する。上端連結部２２は、フラップ２１の矩形形状の一辺から折り曲げ可能に構成され、主要収容部１１の開口１１Ａが位置する本体１０の上面から前面に回り込む形で、本体１０の前面の上端連結部１５に連結することができる。
【００３１】
上端連結部２２は、上端連結部２２Ｌ，２２Ｒと、中央部２２Ｃとを含む。
【００３２】
上端連結部２２Ｌ，２２Ｒは、それぞれ、上端連結部２２の左端部及び右端部に設けられ、連結部材２３（連結部材２３Ｌ，２３Ｒ）を介して、上端連結部１５Ｌ，１５Ｒと連結する。
【００３３】
中央部２２Ｃは、上端連結部２２Ｌ，２２Ｒを左右方向に繋ぐように設けられる。中央部２２Ｃのフラップ２１の一辺からの飛び出し代は、上端連結部２２Ｌ，２２Ｒの飛び出し代よりも小さくなるように設定される。これにより、中央部２２Ｃは、主要収容部１１の前面の上端部に設けられる、ランドセル１を吊り下げるための吊り紐と上端連結部２２とを共存させることができる。
【００３４】
連結部材２３は、上端連結部２２に取り付けられ、本体１０の上端連結部１５と係脱可能に連結する。連結部材２３は、連結部材２３Ｌ，２３Ｒを含む。
【００３５】
連結部材２３Ｌ，２３Ｒは、それぞれ、上端連結部２２Ｌ，２２Ｒに設けられ、本体の上端連結部１５Ｌ，１５Ｒと係脱可能に連結する。
【００３６】
例えば、図４に示すように、連結部材２３Ｒは、上端連結部２２Ｒの裏面から突出する略円柱形状を有し、側面に全周に亘る溝を有する。
【００３７】
上端連結部１５Ｒは、連結部材２３Ｒの略円柱形状に対応する孔部を有する。孔部には、連結部材２３Ｒの側面の溝に係合可能な全周に亘る突部が設けられる。また、上端連結部１５Ｒの孔部の周方向の下端位置には、下方から孔部に連結部材２３Ｒをスライドさせながら挿入させることが可能な切り欠きが設けられる。これにより、利用者は、連結部材２３Ｒを上端連結部１５Ｒの切り欠きから孔部に挿入し、上端連結部１５Ｒの孔部の突部と、連結部材２３Ｒの溝とを係合させて、上端連結部１５Ｒと連結部材２３Ｒ（上端連結部２２Ｒ）とを連結させることができる。また、利用者は、逆の動作で上端連結部１５と連結部材２３Ｒ（上端連結部２２Ｒ）との連結状態を解除することができる。上端連結部１５Ｌ及び連結部材２３Ｌ（上端連結部２２Ｌ）についても同様の構成であってよい。
【００３８】
尚、上端連結部１５Ｌ及び上端連結部２２Ｌ、並びに上端連結部１５Ｒ及び上端連結部２２Ｒは、別の方法で連結してもよい。例えば、上端連結部１５Ｌ，１５Ｒは、それぞれ、ひねり留め具により構成され、上端連結部２２Ｌ，２２Ｒは、それぞれ、ひねり留め具の回転可能なひねり部を挿通可能な長孔部として構成されてよい。これにより、利用者は、ひねり留め具のひねり部を挿通孔に挿通させ、ひねり部を回転させて、上端連結部１５Ｌ，１５Ｒ、及び上端連結部２２Ｌ，２２Ｒをそれぞれ連結させることができる。
【００３９】
下端連結部２４は、本体１０の下端連結部１６と係脱可能に連結する。下端連結部２４は、略矩形形状のフラップ２１の長手方向の他端部から所定の位置までの間に亘る範囲の外縁、即ち、略矩形形状の左辺、下辺、及び右辺に沿って連続的に設けられる。図８に示すように、下端連結部２４は、裏面から見てフラップ２１の左辺、下辺、及び右辺に沿う形の略Ｕ字形状を有し、Ｕ字形状に沿って、線ファスナのエレメントが並べられると共に、線ファスナのスライダが取り付けられる。下端連結部１６及び下端連結部２４は、略同じＵ字形状を有し、利用者は、下端連結部２４のスライダを下端連結部１６の線ファスナのエレメント列の一端に挿入させることができる。これにより、利用者は、スライダを移動させて、下端連結部１６及び下端連結部２４の組み合わせにより構成される線ファスナを閉じ、下端連結部１６及び下端連結部２４を連結させることができる。
【００４０】
肩ベルト３０は、本体１０の前面に設けられ、利用者がランドセル１を背負うために用いられる。
【００４１】
肩ベルト３０は、主ベルト３１と、上部連結紐３２と、下部連結紐３３とを含む。
【００４２】
主ベルト３１は、肩ベルト３０のうちの利用者の肩に直接掛かる部分に相当する。主ベルト３１は、主ベルト３１Ｌ，３１Ｒを含む。
【００４３】
主ベルト３１Ｌ，３１Ｒは、それぞれ、本体１０（主要収容部１１）の前面の左端部及び右端部に設けられ、利用者の左肩及び右肩に掛けられる。主ベルト３１Ｌ，３１Ｒには、利用者の肩等に作用する負荷変動（衝撃）を和らげることが可能なパッド部材が利用される。
【００４４】
上部連結紐３２は、主ベルト３１を主要収容部１１の後面の上部に連結する紐状の部材である。上部連結紐３２は、上部連結紐３２Ｌ，３２Ｒを含む。
【００４５】
上部連結紐３２Ｌ，３２Ｒは、それぞれ、主ベルト３１Ｌ，３１Ｒを主要収容部１１の後面の上部の左端部及び右端部に連結する。上部連結紐３２Ｌ，３２Ｒは、それぞれ、主ベルト３１Ｌ，３１Ｒの一端部と他端部との間の中間位置に取り付けられ、主ベルト３１Ｌ，３１Ｒは、その取付位置から下方に折り曲げられるように構成される。これにより、主ベルト３１Ｌ，３１Ｒのパッド部材が利用者の肩の前後に回り込むように設置され、肩の前後の周囲の相対的に広い範囲に亘って、利用者の肩に作用する負荷変動（衝撃）を和らげることができる。また、上部連結紐３２Ｌ，３２Ｒは、それぞれ、主要収容部１１に連結する一端部と主ベルト３１Ｌ，３１Ｒに連結する他端部との間の長さを調整可能な調整機能を有する。
【００４６】
下部連結紐３３Ｌ，３３Ｒは、それぞれ、主ベルト３１Ｌ，３１Ｒを主要収容部１１の下部の左端部及び右端部に連結する。下部連結紐３３Ｌ，３３Ｒは、それぞれ、主要収容部１１の後面及び側面の間の角の下部と、主ベルト３１Ｌ，３１Ｒの下端部との間をつなぐように設けられる。また、下部連結紐３３Ｌ，３３Ｒは、それぞれ、主要収容部１１に連結する一端部と主ベルト３１Ｌ，３１Ｒに連結する他端部との間の長さを調整可能な調整機構を有する。
【００４７】
［ランドセルの各種機能］
次に、引き続き、図１〜図８を参照して、本実施形態に係るランドセル１の各種機能について説明する。
【００４８】
上述の如く、本体１０の上端連結部１５及び蓋部２０の上端連結部２２（連結部材２３）は、係脱可能に連結する。
【００４９】
これにより、図３に示すように、蓋部２０は、利用者の操作によって、本体１０の下端連結部１６と連結する下端連結部２４の上端位置を支点にして、その先端部（上端連結部２２）を後ろ向きに移動（回動）することができる。そのため、利用者は、ランドセル１（蓋部２０）の上部を操作するだけで、ランドセル１の開口１１Ａを開放させることができる。
【００５０】
また、上述の如く、本体１０の下端連結部１６及び蓋部２０の下端連結部２４とは、上下方向の下端部から所定の位置までの間の範囲で蓋部２０（フラップ２１）の外縁に沿うように連続的に連結される。
【００５１】
これにより、図６に示すように，本体１０（後面収容部１４）の下部と蓋部２０（フラップ２１）の下部との間に、ポケット形状の収容部４０を設けることができる。
【００５２】
また、上述の如く、本体１０の下端連結部１６及び蓋部２０の下端連結部２４は、一組の線ファスナとして構成される。
【００５３】
これにより、図６に示すように、利用者は、線ファスナの左側の一端部から一部を開放し、収容部４０の収容物を上部の開口からではなく、左側方から収容部４０の内部にアクセスすることができる。そのため、利用者は、本体１０の上端連結部１５と蓋部２０の上端連結部２２（連結部材２３）との間の連結状態を解除すること無く、収容部４０の収容物を取り出したり、収容部４０に収容物を入れたりすることができる。
【００５４】
また、上述の如く、本体１０の下端連結部１６及び蓋部２０の下端連結部２４は、係脱可能に連結する。
【００５５】
これにより、図５、図７、図８に示すように、利用者は、蓋部２０を本体１０から取り外すことができる。
【００５６】
［作用］
次に、本実施形態に係るランドセル１の作用について説明する。
【００５７】
本実施形態では、ランドセル１は、箱形状を有し、上端部に開口１１Ａを有する本体１０と、開口１１Ａの前端部から本体１０の下端部に亘って、開口１１Ａ及び本体１０の後面を覆う蓋部２０と、を備える。そして、蓋部２０は、本体１０の後面に取り付けられると共に、開口１１Ａの前端部に係脱可能に取り付けられる。
【００５８】
例えば、ランドセルの利用者は、小学生であり、大人のように、本体の上端部を支点にし、本体の下端部を先端にして可動可能なフラップの開閉をコンパクトな動作で行うことができない可能性が高い。特に、低学年の利用者は、顕著であり、周囲に人が多い状況や狭い空間でのランドセルの開閉に手間取る可能性がある。
【００５９】
これに対して、本実施形態に係るランドセル１の場合、利用者は、蓋部２０を本体１０の開口１１Ａの前端部から取り外した状態で、本体１０の後面との取付部（下端連結部１６）を支点として、後向きに移動させてランドセル１の開口１１Ａを開くことができる。同様に、利用者は、蓋部２０を本体１０の開口１１Ａの前端部から取り外した状態で、本体１０の後面との取付部（下端連結部１６）を支点として、前向きに移動させてランドセル１の開口１１Ａを閉じることができる。そのため、本実施形態に係るランドセル１は、蓋部２０の開閉動作時にその前後方向の移動範囲を相対的に小さくすることができる。よって、本実施形態に係るランドセル１は、その意匠上の特徴の一つである、上下に亘る相対的に長い蓋部２０（フラップ２１）の形状を維持しつつ、利用者に、より小さい空間でその開閉を行わせることができる。
【００６０】
尚、蓋部２０は、本体１０の後面に取り付けられるが、本体１０の後面に代えて、或いは、加えて、本体１０の下面に取り付けられてもよい。
【００６１】
また、本実施形態では、蓋部２０は、上下方向で、本体１０の下端部から上端部より下方の所定の位置までの間に亘る範囲で本体１０の後面に取り付けられてよい。
【００６２】
これにより、ランドセル１を開閉させる際の蓋部２０の動作の支点の位置が、蓋部２０の係脱可能な端部（上端連結部２２）に相対的に近くなり、蓋部２０のうちの開閉動作時に移動可能な範囲の重量を低減させることができる。そのため、利用者は、蓋部２０の開閉動作をよりさせ易くなる。よって、本実施形態に係るランドセル１は、利用者の利便性を向上させることができる。
【００６３】
また、本実施形態では、蓋部２０は、本体１０の下端部と所定の位置（下端連結部２４の上端部）との間に対応する範囲の外縁に沿って、連続的に本体１０の後面に取り付けられてよい。
【００６４】
これにより、利用者は、本体１０の下端部と所定の位置との間の上下方向の範囲において、本体１０の後面と蓋部２０の裏面との間の空間（収容部４０）を荷物の収容可能なポケットとして利用することができる。そのため、本実施形態に係るランドセル１は、利用者の利便性を向上させることができる。
【００６５】
また、本実施形態では、蓋部２０（フラップ２１）の外縁に沿って連続的に設けられる、本体１０と蓋部２０との取付部には、その両端の一方（左側の端部）から開閉可能な線ファスナが設けられてよい。
【００６６】
これにより、利用者は、蓋部２０の上部の本体１０との連結部（上端連結部２２）の連結状態を解除することなく、線ファスナを開けて、本体１０の後面と蓋部２０の裏面との間のポケット形状の収容部４０にアクセスすることができる。そのため、本実施形態に係るランドセル１は、利用者の利便性を向上させることができる。
【００６７】
尚、本体１０の下端連結部１６及び蓋部２０の下端連結部２４に対応する線ファスナは、右側の端部から開閉可能な態様であってもよいし、両端の双方から開閉可能な態様であってもよい。また、本体１０の下端連結部１６及び蓋部２０の下端連結部２４の連結範囲の一部は、線ファスナに代えて、係脱不可能な態様で連結されていてもよい。
【００６８】
また、本実施形態では、蓋部２０は、本体１０の後面に係脱可能に取り付けられてよい。同様に、上述の如く、蓋部２０が本体１０の後面に代えて或いは加えて、本体１０の下面に取付られる場合についても、本体１０の下面に係脱可能に取り付けられてよい。
【００６９】
例えば、利用者が小学生であり、且つ、６年間使用することを想定すると、ランドセルのフラップ（蓋部）の汚れが除去不可能な程度にひどくなったり、修理不可能な程度に破損したりする可能性がある。
【００７０】
これに対して、本実施形態に係るランドセル１の場合、利用者（小学生）や利用者の親は、例えば、蓋部２０が汚れたり、破損したりした場合に、新しい蓋部２０に交換することができる。そのため、本実施形態に係るランドセル１は、利用者や利用者の親等の利便性を向上させることができる。
【００７１】
［変形・変更］
以上、実施形態について詳述したが、本開示はかかる特定の実施形態に限定されるものではなく、特許請求の範囲に記載された要旨の範囲内において、種々の変形・変更が可能である。
【００７２】
例えば、上述の実施形態では、ランドセル１には、上述の如く、利用者等の利便性を向上させる各種機能が採用されるが、上述の複数の機能のうちの任意の一部だけが採用される形態であってもよい。
【符号の説明】
【００７３】
１  ランドセル
１０  本体
１１  主要収容部
１２  左ポケット
１３  右ポケット
１４  後面収容部
１４Ｆ  線ファスナ
１５，１５Ｌ，１５Ｒ  上端連結部
１６  下端連結部
１７，１７Ｌ，１７Ｒ  腰パッド
１８  底鋲
２０  蓋部
２１  フラップ
２２  上端連結部
２２Ｃ  中央部
２２Ｌ，２２Ｒ  上端連結部
２３，２３Ｌ，２３Ｒ  連結部材
２４  下端連結部
３０  肩ベルト
３１，３１Ｌ，３１Ｒ  主ベルト
３２，３２Ｌ，３２Ｒ  上部連結紐
３３，３３Ｌ，３３Ｒ  下部連結紐
４０  収容部
【要約】      （修正有）【課題】より小さい空間でランドセルの開閉を行うことが可能な技術を提供する。【解決手段】ランドセル１は、箱形状を有し、上端部に開口１１Ａを有する本体１０と、開口１１Ａの前端部から本体１０の下端部に亘って、開口１１Ａ及び本体１０の後面を覆う蓋部（フラップ２１）と、を備え、蓋部は、本体１０の後面及び下面の少なくとも一方に取り付けられると共に、開口１１Ａの前端部に係脱可能に取り付けられる。例えば、蓋部は、上下方向で、本体１０の下端部から上端部より下方の所定の位置までの間に亘る範囲で本体１０の後面に取り付けられる。【選択図】図３【図１】
0006831142.tif 000002
【図２】
0006831142.tif 000003
【図３】
0006831142.tif 000004
【図４】
0006831142.tif 000005
【図５】
0006831142.tif 000006
【図６】
0006831142.tif 000007
【図７】
0006831142.tif 000008
【図８】
0006831142.tif 000009